【手続補正書】
【提出日】平成31年1月31日(2019.1.31)
【手続補正１】
【補正対象書類名】特許請求の範囲
【補正対象項目名】全文
【補正方法】変更
【補正の内容】
【特許請求の範囲】
【請求項１】
ＵＳＢクライアントが接続される第１コネクタ部と、ＵＳＢホストコントローラに接続される第２コネクタ部との間の接続状態を切り替える接続切替え部を有するＵＳＢ中継装置を用いたＵＳＢ管理システムであって、
予め登録されたＵＳＢクライアントの管理情報を記録する管理データベースを有する管理端末を備え、
前記ＵＳＢ中継装置は、前記第１コネクタ部にＵＳＢクライアントが接続されたとき、当該ＵＳＢクライアントの管理情報を読み取って前記管理端末に送信し、
前記管理端末は、前記ＵＳＢ中継装置から送信された前記ＵＳＢクライアントの管理情報を前記管理データベースに照会し、予め登録されたＵＳＢクライアントの管理情報と比較することによって前記接続切替え部による接続状態を判断する
ことを特徴とするＵＳＢ中継装置を用いたＵＳＢ管理システム。
【請求項２】
前記ＵＳＢ中継装置は、前記第１コネクタ部または前記第２コネクタ部を通して入出力されるファイルを中継する制御部を有しており、
前記接続切替え部は、前記第１コネクタ部と前記第２コネクタ部との間を電気的に接続する第１の接続状態と、前記制御部と前記第１コネクタ部及び前記第２コネクタ部との間を電気的に接続する第２の接続状態と、前記第１コネクタ部と前記第２コネクタ部とが電気的に接続されていない状態と、を選択的に切り替える
ことを特徴とする請求項１に記載のＵＳＢ中継装置を用いたＵＳＢ管理システム。
【請求項３】
前記接続切替え部は、前記第１コネクタ部に可動接点が接続された第１スイッチ部と、前記第２コネクタ部に可動接点が接続された第２スイッチ部とを有し、前記第１スイッチ部の一方の固定接点と前記第２スイッチ部の一方の固定接点とが互いに接続され、前記第１スイッチ部の他方の固定接点及び前記第２スイッチ部の他方の固定接点がそれぞれ前記制御部に接続されており、
前記第１コネクタ部に接続されたＵＳＢクライアントの管理情報が前記管理データベースに登録済みのレコードと一致するとき、前記第１スイッチ部及び前記第２スイッチ部の切替え制御によって前記第２の接続状態とする
ことを特徴とする請求項２に記載のＵＳＢ中継装置を用いたＵＳＢ管理システム。
【請求項４】
前記接続切替え部は、前記第１コネクタ部に接続されたＵＳＢクライアントの管理情報が前記管理データベースに登録済みのレコードと不一致のとき、前記第１スイッチ部及び前記第２スイッチ部の切替え制御によって、前記第１コネクタ部と前記第２コネクタ部とが電気的に接続されていない状態とする
ことを特徴とする請求項３に記載のＵＳＢ中継装置を用いたＵＳＢ管理システム。
【請求項５】
前記管理端末は、前記予め登録されたＵＳＢクライアントの管理情報として、デバイスＩＤ及びシリアルＩＤを、管理者が入力した使用者氏名、許可期間、許可ＵＳＢ中継装置ＩＤ及び許可ファイル名と共に前記管理データベースに記録する
ことを特徴とする請求項１に記載のＵＳＢ中継装置を用いたＵＳＢ管理システム。
【請求項６】
前記管理端末は、ファイル転送の履歴や転送ファイルをログとして記録するＵＳＢ履歴データベースを有する
ことを特徴とする請求項１に記載のＵＳＢ中継装置を用いたＵＳＢ管理システム。
【請求項７】
ＵＳＢクライアントが接続される第１コネクタ部と、ＵＳＢホストコントローラに接続される第２コネクタ部との間の接続状態を切り替える接続切替え部を有するＵＳＢ中継装置を用い、
予め登録されたＵＳＢクライアントの管理情報を記録する管理データベースを有する管理端末
を備えるＵＳＢ管理システムにおけるＵＳＢ管理方法であって、
前記ＵＳＢ中継装置において、前記第１コネクタ部にＵＳＢクライアントが接続されたとき、当該ＵＳＢクライアントの管理情報を読み取って前記管理端末に送信し、
前記管理端末側において、前記ＵＳＢ中継装置から送信された前記ＵＳＢクライアントの管理情報を前記管理データベースに照会し、予め登録されたＵＳＢクライアントの管理情報と比較することによって前記接続切替え部による接続状態を判断する
ことを特徴とするＵＳＢ管理方法。
【手続補正２】
【補正対象書類名】明細書
【補正対象項目名】０００８
【補正方法】変更
【補正の内容】
【０００８】
上記目的を達成するために、本発明のＵＳＢ管理システムは、
ＵＳＢクライアントが接続される第１コネクタ部と、ＵＳＢホストコントローラに接続される第２コネクタ部との間の接続状態を切り替える接続切替え部を有するＵＳＢ中継装置を用いるＵＳＢ管理システムであり、
予め登録されたＵＳＢクライアントの管理情報を記録する管理データベースを有する管理端末
を備えている。そして、
ＵＳＢ中継装置において、第１コネクタ部にＵＳＢクライアントが接続されたとき、当該ＵＳＢクライアントの管理情報を読み取って管理端末に送信する一方、
管理端末において、ＵＳＢ中継装置から送信されたＵＳＢクライアントの管理情報を管理データベースに照会し、予め登録されたＵＳＢクライアントの管理情報と比較することによって接続切替え部による接続状態を判断する
ことを特徴とする。
【手続補正３】
【補正対象書類名】明細書
【補正対象項目名】０００９
【補正方法】変更
【補正の内容】
【０００９】
また、本発明のＵＳＢ管理方法は、
ＵＳＢクライアントが接続される第１コネクタ部と、ＵＳＢホストコントローラに接続される第２コネクタ部との間の接続状態を切り替える接続切替え部を有するＵＳＢ中継装置を用い、
予め登録されたＵＳＢクライアントの管理情報を記録する管理データベースを有する管理端末
を備えるＵＳＢ管理システムにおいて、
ＵＳＢ中継装置側で、第１コネクタ部にＵＳＢクライアントが接続されたとき、当該ＵＳＢクライアントの管理情報を読み取って管理端末に送信する一方、管理端末側で、ＵＳＢ中継装置から送信されたＵＳＢクライアントの管理情報を管理データベースに照会し、予め登録されたＵＳＢクライアントの管理情報と比較することによって接続切替え部による接続状態を判断する
ことを特徴とする。
【手続補正４】
【補正対象書類名】明細書
【補正対象項目名】００４８
【補正方法】変更
【補正の内容】
【００４８】
ＵＳＢ中継装置１０において（図５参照）、第２コネクタ部１２がＵＳＢホストコントローラ７０の一例であるコンピュータのＵＳＢポートに接続されると、第２コネクタ部１２を経由してコンピュータからＵＳＢ中継装置１０に電源が供給される。このとき、図２に示すように、第１スイッチ部２１の可動接点２１_1が固定接点２１_3側に接続された状態となり、第２スイッチ部２２の可動接点２２_1が固定接点２２_2側に接続された状態となる。この状態がＵＳＢ中継装置１０の初期状態である。この初期状態では、第１コネクタ部１１と第２コネクタ部１２は電気的に接続されていない。
【手続補正５】
【補正対象書類名】明細書
【補正対象項目名】００５０
【補正方法】変更
【補正の内容】
【００５０】
ここで、デバイスタイプやインタフェースタイプの情報から、ＵＳＢデバイスの種類、即ちＵＳＢデバイスが特定のデバイス（本例では、ＵＳＢ大容量ストレージ）であるか、他のＵＳＢデバイスであるかを判断することができる。そこで、制御部２３は、ステップＳ２２で取得したＵＳＢデバイスの種別の情報に基づいて、第１コネクタ部１１に接続されたＵＳＢデバイスが、ＵＳＢ大容量ストレージ６１などの予め決めておいたデバイスであるか否かを判断する（ステップＳ２３）。
【手続補正６】
【補正対象書類名】明細書
【補正対象項目名】００６６
【補正方法】変更
【補正の内容】
【００６６】
具体的には、ファイルの読込みの場合は、擬似ＵＳＢホストコントローラ３１は、ＵＳＢ大容量ストレージ６１からファイルを読み込み、この読み込んだファイルを擬似ＵＳＢデバイス３３を経由して、ＵＳＢホストコントローラ７０に転送する。ファイルの書込みの場合は、擬似ＵＳＢデバイス３３は、ＵＳＢホストコントローラ７０から転送されたファイルを、擬似ＵＳＢホストコントローラ３１を経由して、ＵＳＢ大容量ストレージ６１に書き込む。書込みが完了すると、擬似ＵＳＢホストコントローラ３１は、擬似ＵＳＢデバイス３３に対してファイル書込み完了を報告する。
【手続補正７】
【補正対象書類名】明細書
【補正対象項目名】００７２
【補正方法】変更
【補正の内容】
【００７２】
また、本実施形態に係るＵＳＢ管理システム１では、使用者氏名、許可期間、許可ＵＳＢ中継装置ＩＤ及び許可ファイル名などの管理情報を、事前に証明書として発行し、予め登録しておき、ＵＳＢ中継装置１０に対するＵＳＢクライアント６０の接続を管理するようにしている。そして、ＵＳＢ中継装置１０に接続されたＵＳＢクライアント６０の管理情報を読み取って事前登録情報（予め登録されているＵＳＢクライアント６０の管理情報）と比較し、その比較結果に基づいてスイッチによる接続状態の切替え制御を行うようにしているため、想定外のＵＳＢ大容量ストレージが使用された場合に、それを排除することができる。しかも、本実施形態に係るＵＳＢ管理システム１によれば、ＵＳＢクライアント６０の接続、履歴、ファイルなどを全て一括管理することができる。
【手続補正８】
【補正対象書類名】明細書
【補正対象項目名】００７４
【補正方法】変更
【補正の内容】
【００７４】
１…ＵＳＢ管理システム、  １０…ＵＳＢ中継装置、  １１…第１コネクタ部、  １２…第２コネクタ部、  １３…発光部、  １４…報知部、  １５…通信インタフェース、  ２１…第１スイッチ部、  ２２…第２スイッチ部、  ２３…制御部、  ３１…擬似ＵＳＢホストコントローラ、  ３２…記憶領域、  ３３…擬似ＵＳＢデバイス、  ３４…外部通信部、  ５０…管理端末、  ５３…制御部、  ５４…記憶領域、  ６０…ＵＳＢクライアント、  ６１…ＵＳＢ大容量ストレージ（ＵＳＢメモリ）、  ７０…ＵＳＢホストコントローラ、  ５３１…ＵＳＢ固有情報読取機能部、  ５３２…ＵＳＢ管理情報登録機能部、  ５３３…ＵＳＢ管理情報送受信機能部、  ５３４…ＵＳＢ管理情報照合機能部、  ５３５…ＵＳＢ管理履歴ログ機能部、  ５４１…ＵＳＢ管理データベース、  ５４２…ＵＳＢ履歴データベース